(57)【特許請求の範囲】
【請求項１】
画像が描かれた一のシートを上面に着脱自在に保持する台座と、
上記上面に立設され、画像が描かれた他のシートを前面に着脱自在に保持する立板と、を備え、
上記台座は、幅方向に延びており上記他のシートの下端部が挿入されて当該他のシートの姿勢を安定させる横溝を有しているテーブルフォトブース。
【請求項２】
上記台座及び上記立板は、マグネットシートを備えている請求項１に記載のテーブルフォトブース。
【請求項３】
上記立板は、上記前面の少なくとも幅方向の両端部の上端部に貼付されたスチールシートを備えている請求項１に記載のテーブルフォトブース。
【請求項４】
上記立板は、上記前面における幅方向の両端部から前方へ突出した一対の凸部を備えており、
上記一対の凸部における上記幅方向の内側の側面は、上下方向に延びており上記他のシートの上記幅方向の両端部が挿入される縦溝を有している請求項１から３のいずれかに記載のテーブルフォトブース。
【請求項５】
上記上面及び上記前面は、互いに直交している請求項１から４のいずれかに記載のテーブルフォトブース。
【請求項６】
上記台座は、互いに挿抜される嵌合凸部又は嵌合凹部のいずれか一方を、上記立板は、当該嵌合凸部又は嵌合凹部のいずれか他方を有する請求項１から５のいずれかに記載のテーブルフォトブース。
【請求項７】
上記立板を上記台座に対して回動可能に連結する連結機構を備える請求項１から５のいずれかに記載のテーブルフォトブース。
【請求項８】
上記台座の上面は、底面から隆起した位置に形成されている請求項１から７のいずれかに記載のテーブルフォトブース。
【請求項９】
画像が描かれた一のシートと、
画像が描かれた他のシートと、
上記一のシートを上面に着脱自在に保持する台座と、
上記上面に立設され、上記他のシートを前面に着脱自在に保持する立板と、を備え、
上記台座は、幅方向に延びており上記他のシートの下端部が挿入されて当該他のシートの姿勢を安定させる横溝を有しているテーブルフォトブースセット。
【請求項１０】
上記他のシートの縁部を上記立板の前面に保持するクリップを備えている請求項９に記載のテーブルフォトブースセット。
【請求項１１】
上記台座の上面及び上記立板の前面に、マグネットシートが配置され、
上記一のシート及び他のシートは、スチールシートを備えている請求項９に記載のテーブルフォトブースセット。
【請求項１２】
上記立板は、上記前面の少なくとも幅方向の両端部の上端部に貼付されたスチールシートを備えており、
上記他のシートを挟んで上記スチールシートに磁着するマグネットを備えている請求項９に記載のテーブルフォトブースセット。
【請求項１３】
上記立板は、嵌合凸部を有し、
上記台座は、上記嵌合凸部と嵌合可能な嵌合凹部を有し、
上記一のシートは、上記台座に載置されたときに上記嵌合凹部に対応する位置に、上記嵌合凸部が貫通可能な貫通孔を有する請求項９から１２のいずれかに記載のテーブルフォトブースセット。
【請求項１４】
上記他のシートに描かれた画像は、ぼかし加工されている請求項９から１３のいずれかに記載のテーブルフォトブースセット。
【発明の詳細な説明】
【技術分野】
【０００１】
本発明は、写真撮影時に被写体の載置面や背面に設置されて擬似的な背景等として活用されるフォトブースのうち、特にテーブル等の上に置かれて使用されるテーブルフォトブース及びテーブルフォトブースセットに関する。
【背景技術】
【０００２】
テーブルフォトブースは、擬似的な様々な状況をあたかも現実であるかのように見せかけて撮影することに使用される。テーブルフォトブースは、一般にステージ及び背景フレームを備え、たとえば、ステージ上にティーカップが置かれ、背景フレームに風景写真が配置された状態で、カップが撮影される。これにより、たとえば、南国の砂浜に佇むオープンカフェで、この砂浜を背景にしてティーカップがテーブルの上に置かれている写真を擬似的に撮影することができる。
【０００３】
特許文献１は、ピンジャック台座の構造を開示している。このピンジャック台座は、ピンジャック（典型的には携帯端末のイヤホンジャックに着脱される装飾用ピン）を保管しておくものであって、テーブルフォトブースのように撮影を前提としたものではないが、様々な演出による鑑賞を楽しむことができるようになっている。このピンジャック台座は、床面を有する台座基部と、この台座基部に立設された背面部とを備えている。アニメキャラクター等を模したピンジャックが上記床面に自由に配置されると共に、この床面や上記背面部の正面に、演出を行うための描写が施される。この描写やピンジャックが変更されることによって、複数のアニメキャラクターによる独特の世界観がピンジャック台座上に演出される。
【先行技術文献】
【特許文献】
【０００４】
【特許文献１】実用新案登録第３１９７４８２号公報
【発明の概要】
【発明が解決しようとする課題】
【０００５】
ところで、特許文献１に開示されたピンジャック台座は、上記描写を変更するために、背面部の取り替えが必要がある。
【０００６】
また、上記ピンジャック台座は、ピンジャックを保管するためのものであるため、床面にピンジャックを差すための孔が形成されている。演出を変えるためには、これらの孔の位置を変える必要がある。そのため、上記背面部と同様、床面の描写を換えるために、床面を含む板（或いは台座基部全体）が取り換えられる必要がある。
【０００７】
つまり、上記ピンジャック台座により様々な演出をすることは、事実上不可能であり、それを可能とするためには、背面部や台座基部を取り換える必要があり、非常に煩わしい作業を要するばかりか、非常に高いコストがかかってしまう。
【０００８】
この発明は、かかる背景のもとになされたものであって、その目的は、様々な擬似的シチュエーションを簡単且つ迅速に形成することができるコスト安価なテーブルフォトブース及びテーブルフォトブースセットを提供することである。
【課題を解決するための手段】
【０００９】
(1) 本発明に係るテーブルフォトブースは、画像が描かれた一のシートを上面に着脱自在に保持する台座と、上記上面に立設され、画像が描かれた他のシートを前面に着脱自在に保持する立板とを備える。上記台座は、幅方向に延びており上記他のシートの下端部が挿入されて当該他のシートの姿勢を安定させる横溝を有している。
【００１０】
この発明によれば、台座は、その上面に様々な種類の一のシートを保持することができ、また、立板は、その前面に様々な種類の他のシートを保持することができる。上記一のシートが取り替えられることにより、上記上面に描写される画像が簡単に交換され、同様に、上記他のシートが取り替えられることにより、上記前面に描写される画像が簡単に交換される。他のシートの下端部が横溝に挿入されることによって、他のシートの下端部を、台座の上面に保持された一のシートの後端と連続させることができる。他のシートの下端部が横溝に挿入されることによって、台座が他のシートを支持することができる。
【００１１】
(2) 上記台座及び上記立板は、マグネットシートを備えている。
【００１２】
この構成では、一のシート及び他のシートがたとえば強磁性体で構成されるだけで、上記台座及び立板は、一のシート及び他のシートを簡単に保持することができる。しかも、一のシート及び他のシートの位置調整もきわめて容易である。特に、一のシート及び他のシートが上記上面及び前面に貼り付けられる際に気泡が生じることが防止されるので、シートの貼付作業が容易且つ迅速に行われる。
【００１３】
また、少なくとも一部が強磁性体で構成された部材を前面に貼り付けることができる。これにより、他のシートを換えることなく背景に様々な演出を施すことができる。
【００１４】
(3) 上記立板は、上記前面の少なくとも幅方向の両端部の上端部に貼付されたスチールシートを備えている。
【００１５】
他のシートが立板の前面に当接した状態で、他のシートを挟んでスチールシートにマグネットが磁着されることによって、他のシートを立板の前面に保持することができる。
【００１６】
(4) 上記立板は、上記前面における幅方向の両端部から前方へ突出した一対の凸部を備えている。上記一対の凸部における上記幅方向の内側の側面は、上下方向に延びており上記他のシートの上記幅方向の両端部が挿入される縦溝を有している。
【００１７】
他のシートの幅方向の両端部が縦溝へ挿入されることによって、他のシートを立板の前面に保持することができる。
【００１８】
(5) 上記上面及び上記前面は、互いに直交しているのが好ましい。
【００１９】
この構成では、上面及び前面は、正面からの撮影に適した角度で交差する。
【００２０】
(6) 上記台座は、互いに挿抜される嵌合凸部又は嵌合凹部のいずれか一方を、上記立板は、当該嵌合凸部又は嵌合凹部のいずれか他方を有するのが好ましい。
【００２１】
この構成では、台座及び立板がそれぞれ備える嵌合凸部及び嵌合凹部が互いに嵌合するだけで台座に立板が組み付けられ、また、上記嵌合が解除されるだけで台座と立板が分離される。テーブルフォトブースが２つの部材に分離されることにより、テーブルフォトブースの持ち運びが容易となる。
【００２２】
(7) 上記立板を上記台座に対して回動可能に連結する連結機構が備えられていてもよい。
【００２３】
この構成では、連結機構により、前面及び上面のなす角が変更される。これにより、撮影時の光量調整が可能である。
【００２４】
(8) 上記台座の上面は、底面から隆起した位置に形成されているのが好ましい。
【００２５】
この構成では、台座の上面が舞台上にあるような演出が可能である。これにより、この上面に置かれた被写体のクローズアップ画像が容易に得られる。
【００２６】
(9) 本発明に係るテーブルフォトブースセットは、画像が描かれた一のシートと、画像が描かれた他のシートと、上記一のシートを上面に着脱自在に保持する台座と、上記上面に立設され、上記他のシートを前面に着脱自在に保持する立板とを備える。上記台座は、幅方向に延びており上記他のシートの下端部が挿入されて当該他のシートの姿勢を安定させる横溝を有している。
【００２７】
この発明によれば、一のシートが台座の上面に配置され、他のシートが立板の前面に配置される。被写体が上面に載置され、撮影される。上面に配置された一のシートが交換されるだけで、当該上面に描写された画像が変更される。前面に配置された他のシートが交換されるだけで、当該前面に描写された画像が変更される。他のシートの下端部が横溝に挿入されることによって、他のシートの下端部を、台座の上面に保持された一のシートの後端と連続させることができる。他のシートの下端部が横溝に挿入されることによって、台座が他のシートを支持することができる。
【００２８】
(10)上記他のシートの縁部を上記立板の前面に保持するクリップを備えていてもよい。
【００２９】
この構成では、他のシートの縁部の所定箇所がクリップで留められる。したがって、他のシートは、立板の前面に着脱自在に保持される。
【００３０】
(11)上記台座の上面及び上記立板の前面に、マグネットシートが配置され、上記一のシート及び他のシートは、スチールシートを備えているのが好ましい。
【００３１】
この構成では、一のシート及び他のシートは、それぞれ、磁力によって上面及び前面に貼付される。そのため、当該一のシート及び他のシートの位置調整がきわめて容易である。また、シートの貼付時の気泡の発生が防止されるので、シートの貼付がより一層容易である。
【００３２】
また、少なくとも一部が強磁性体で構成された部材を前面に貼り付けることができる。これにより、他のシートを換えることなく背景に様々な演出を施すことができる。
【００３３】
(12) 上記立板は、上記前面の少なくとも幅方向の両端部の上端部に貼付されたスチールシートを備えている。本発明に係るテーブルフォトブースセットは、上記他のシートを挟んで上記スチールシートに磁着するマグネットを備えている。
【００３４】
他のシートが立板の前面に当接した状態で、他のシートを挟んでスチールシートにマグネットが磁着されることによって、他のシートを立板の前面に保持することができる。
【００３５】
(13) 上記立板は、嵌合凸部を有する。上記台座は、上記嵌合凸部と嵌合可能な嵌合凹部を有する。上記一のシートは、上記台座に載置されたときに上記嵌合凹部に対応する位置に、上記嵌合凸部が貫通可能な貫通孔を有する。
【００３６】
嵌合凸部が嵌合凹部に嵌合されることによって立板と台座とが一体化される。このとき、嵌合凸部が台座の上面に載置された一のシートの貫通孔に貫通されることによって、一のシートを台座の上面において位置決めすることができる。
【００３７】
(14) 上記他のシートに描かれた画像は、ぼかし加工されているのが好ましい。
【００３８】
この構成では、前面に描写された背面が遠くにあるような演出が容易である。
【発明の効果】
【００３９】
この発明によれば、被写体が置かれている環境について様々な擬似的シチュエーションを簡単且つ迅速に形成することができ、しかも、このような擬似的シチュエーションの変更を簡単なシートの取替作業のみで行うことが可能である。その結果、様々な擬似的シチュエーションを簡単且つ迅速に形成することができるコスト安価なテーブルフォトブース及びテーブルフォトブースセットが提供される。
【図面の簡単な説明】
【００４０】
【図１】図１は、本発明の一実施形態に係るテーブルフォトブースセット１０の外観斜視図である。
【図２】図２は、テーブルフォトブース２０の外観斜視図である。
【図３】図３は、台座３０の外観斜視図である。
【図４】図４は、図３のＩＶ−ＩＶ断面を示す縦断面図である。
【図５】図５は、立板４０の外観斜視図である。
【図６】図６（Ａ）は、シート６０の外観斜視図であり、図６（Ｂ）は、シート７０の外観斜視図である。
【図７】図７は、被写体８１及び飾りパーツ８２が貼り付けられたテーブルフォトブースセット１０の外観斜視図である。
【図８】図８は、連結機構９０を備えたテーブルフォトブース２０の外観斜視図である。
【図９】図９は、積層構造を有するシート６０の一部の側面図である。
【図１０】図１０（Ａ）は、変形例におけるシート６０の外観斜視図であり、図１０（Ｂ）は、変形例におけるシート７０の外観斜視図である。
【図１１】図１１は、変形例における台座３０の外観斜視図である。
【図１２】図１２は、変形例における立板４０の外観斜視図である。
【図１３】図１３は、変形例におけるテーブルフォトブースセット１０の外観斜視図である。
【図１４】図１４は、変形例におけるテーブルフォトブースセット１０の外観斜視図である。
【図１５】図１５は、変形例における台座３０の外観斜視図である。
【図１６】図１６は、変形例におけるテーブルフォトブースセット１０の外観斜視図である。
【図１７】図１７は、変形例におけるテーブルフォトブース２０の外観斜視図である。
【発明を実施するための形態】
【００４１】
以下、本発明の好ましい実施形態について、適宜図面が参照されつつ説明される。本実施形態は、本発明に係るテーブルフォトブースセット１０の一態様である。したがって、本発明の要旨を変更しない範囲で実施態様が変更されてもよいことは言うまでもない。
【００４２】
［テーブルフォトブースセットの概要］
【００４３】
図１は、本発明の一実施形態に係るテーブルフォトブースセット１０の外観斜視図である。
【００４４】
同図が示すように、テーブルフォトブースセット１０は、テーブルフォトブース２０と、これにシート６０及びシート７０が着脱可能に貼り付けられたものである。テーブルフォトブースセット１０は、被写体の写真撮影時に、被写体の載置面に擬似的に床などを表現したり、被写体の背面に擬似的に風景などを表現するために活用される。同図において、シート６０、７０に描かれた画像６１、７１が被写体の擬似的な背景等である。テーブルフォトブースセット１０は、典型的にはテーブル、棚、及び台等に設置される。
【００４５】
なお、以下の説明において、テーブルフォトブースセット１０が使用可能に設置された状態（図１が示す状態）を基準として上下方向１０１が定義され、シート７０に描かれた画像７１が前方を向いているとして前後方向１０２が定義され、テーブルフォトブースセット１０を前方から見て左右方向１０３が定義される。上下方向１０１、前後方向１０２、及び左右方向１０３は、互いに直交している。本実施形態において、上下方向１０１は鉛直方向であり、前後方向１０２及び左右方向１０３は水平方向である。左右方向１０３は、特許請求の範囲に記載された「幅方向」の一例である。また、以下の各図において、説明の便宜上、シートや層の厚みが実際とは異なる厚みで描かれている。
【００４６】
前述のように、テーブルフォトブースセット１０は、テーブルフォトブース２０と、シート６０、７０とを備えている。以下、テーブルフォトブースセット１０の構成要素であるテーブルフォトブース２０及びシート６０、７０の構成が、それぞれ詳述される。
【００４７】
［テーブルフォトブース］
【００４８】
図２は、テーブルフォトブース２０の外観斜視図である。
【００４９】
図２が示すように、テーブルフォトブース２０は、台座３０と、立板４０とを備えている。テーブルフォトブース２０は、台座３０及び立板４０が組み合わされることによって、側面視において概ねＬ字形状を呈する。台座３０及び立板４０は、たとえば板紙（ボール紙）で構成されている。
【００５０】
図３は、台座３０の外観斜視図である。図４は、図３のＩＶ−ＩＶ断面を示す縦断面図である。
【００５１】
図３が示すように、台座３０は、薄板の直方体形状である。台座３０の前後方向１０２及び左右方向１０３の寸法は、台座３０の上下方向１０１の寸法より長い。台座３０の左右方向１０３の寸法は、台座３０の前後方向１０２の寸法より長い。
【００５２】
本実施形態において、台座３０の上下方向１０１の寸法は略１７ｍｍであり、台座３０の前後方向１０２の寸法は略３４０ｍｍであり、台座３０の左右方向１０３の寸法は略４２０ｍｍである。なお、台座３０の各寸法は、前記の寸法に限らない。また、台座３０の左右方向１０３の寸法は、台座３０の前後方向１０２の寸法以下であってもよい。
【００５３】
図４が示すように、台座３０は、板紙３２、板紙３３、シート３６、シート３７、及びマグネットシート３８を備えている。
【００５４】
台座３０は、上下方向１０１に対向する２枚の板紙３２が概ね上下方向１０１に延びる複数の板紙３３によって繋ぎ合わされており、いわゆるハニカムサンドイッチ構造が構成されている。複数の板紙３３の各々は、所定の間隔を空けて水平方向に沿った各方向（たとえば前後方向１０２、左右方向１０３）に延びている。なお、図４において、板紙３３は、紙面奥行方向（左右方向１０３）に延びている。これにより、台座３０は、軽量であり且つ高い剛性が確保されている。
【００５５】
シート３６が、上側の板紙３２の上面と、下側の板紙３２の下面とに貼り付けられている。これにより、板紙３２がシート３６に覆われて外部から見えなくなっている。シート３７が、台座３０の側方から貼り付けられている。これにより、板紙３３がシート３７に覆われて外部から見えなくなっている。マグネットシート３８が、上側の板紙３２に貼り付けられたシート３６の上面に貼り付けられている。
【００５６】
以上より、マグネットシート３８の上面が台座３０の上面３４であり、下側の板紙３２に貼り付けられたシート３６の下面が台座３０の底面３５であり、シート３７の外周面が台座３０の側面３１である。そして、図３が示すように、台座３０の上面３４は、台座３０の底面３５から板紙３３（図４参照）の上下方向１０１の長さ分だけ隆起した位置に形成されている。台座の上下方向１０１の寸法は、好ましくは８ｍｍ以上且つ２５ｍｍ以下であり、更に好ましくは１５ｍｍ以上且つ２０ｍｍ以下である。
【００５７】
図３が示すように、台座３０の側面３１の角部２９は、Ｒ面取りを施されている。なお、角部２９は、Ｒ面取り以外の面取り（たとえばＣ面取り）を施されていてもよいし、面取りを施されていなくてもよい。
【００５８】
台座３０は、その上面３４の後端部に、下方へ凹んだ嵌合凹部３９を有する。嵌合凹部３９は、左右方向１０３に間隔を空けて２つ設けられている。後述する立板４０の嵌合凸部４７（図５参照）が嵌合凹部３９に嵌合可能である。
【００５９】
なお、嵌合凹部３９は、台座３０を上下方向１０１に貫通していてもよい。嵌合凹部３９の個数は２個に限らず、嵌合凹部３９が設けられる位置は図３に示される位置に限らない。たとえば、嵌合凹部３９は、台座３０の上面３４の後端部における左右方向１０３の中央部に１個設けられていてもよい。
【００６０】
図５は、立板４０の外観斜視図である。
【００６１】
図５が示すように、立板４０は、薄板の直方体形状である。立板４０の上下方向１０１及び左右方向１０３の寸法は、立板４０の前後方向１０２の寸法より長い。立板４０の左右方向１０３の寸法は、立板４０の上下方向１０１の寸法より長い。
【００６２】
本実施形態において、立板４０の前後方向１０２の寸法は略１７ｍｍであり、立板４０の上下方向１０１の寸法は略３００ｍｍであり、立板４０の左右方向１０３の寸法は略４２０ｍｍである。なお、立板４０の各寸法は、前記の寸法に限らない。また、立板４０の左右方向１０３の寸法は、立板４０の上下方向１０１の寸法以下であってもよい。
【００６３】
立板４０は、台座３０と同様の構造であり、いわゆるハニカムサンドイッチ構造を備えている。つまり、立板４０は、前後方向１０２に対向する２枚の板紙が複数の別の板紙によって繋ぎ合わされており、当該２枚の板紙の外側がシートによって覆われている。
【００６４】
マグネットシート４１が、立板４０の前側に貼り付けられている。マグネットシート４１の前面が、立板４０の前面４２である。
【００６５】
立板４０の上面４３の左右方向１０３の端部、つまり上面４３と側面４４との境界に位置する角部４５は、Ｒ面取りを施されている。なお、角部４５は、Ｒ面取り以外の面取り（たとえばＣ面取り）を施されていてもよいし、面取りを施されていなくてもよい。
【００６６】
立板４０は、その下面４６に、下方へ突出した嵌合凸部４７を有する。嵌合凸部４７は、左右方向１０３に間隔を空けて２つ設けられている。２つの嵌合凸部４７の各々は、台座３０の２つの嵌合凹部３９（図３参照）の各々に挿抜可能である。台座３０及び立板４０は、嵌合凸部４７が嵌合凹部３９に挿入されることによって一体となり、図２が示すようなテーブルフォトブース２０を構成する。台座３０及び立板４０は、嵌合凸部４７が嵌合凹部３９から抜去されることによって分離される（図３及び図５参照）。
【００６７】
図２が示すように、テーブルフォトブース２０は、台座３０及び立板４０が組み合わされたものである。立板４０は、台座３０の上面３４の後部から上方へ立設されている。立板４０の前面４２は、上下方向１０１及び左右方向１０３に拡がる面である。台座３０の上面３４は、前後方向１０２及び左右方向１０３に拡がる面である。前面４２は、上面３４から上方へ延びており、上面３４と連続している。前面４２と上面３４とは互いに直交している。なお、前面４２と上面３４とは互いに直交していなくてもよい。つまり、前面４２と上面３４とのなす角は、鈍角であってもよいし鋭角であってもよい。
【００６８】
［シート］
【００６９】
図６（Ａ）が示すように、シート６０は、スチールシートの表面に画像６１が描かれたものである。図６（Ｂ）が示すように、シート７０は、スチールシートの表面に画像７１が描かれたものである。スチールシートは、強磁性体であるスチールで構成されたシートである。なお、シート６０、７０は、強磁性体で構成されたシートであれば、スチール以外で構成されていてもよい。
【００７０】
本実施形態において、画像６１、７１は、インクジェットプリンタによってスチールシートの表面に印刷されている。スチールシートの表面に画像６１、７１が描かれる手段は、インクジェットプリンタによる手段に限らない。たとえば、画像６１、７１は、レーザープリンタなどのインクジェット方式以外で印刷を行うプリンタによってスチールシートの表面に印刷されてもよい。また、たとえば、１つの画像が描かれた複数のシールが、スチールシートの表面に貼り付けられてもよい。
【００７１】
図１が示すように、シート６０は、台座３０の上面３４に貼り付けられる。上述のように、台座３０の上面３４は、マグネットシート３８の上面である（図２参照）。そのため、スチールで構成されているシート６０は、マグネットシート３８の磁力によって、台座３０の上面３４に位置ずれすることなく保持可能である。ここで、シート６０は、台座３０の上面３４のうち、立板４０の前面４２より前方の部分と同じ形状且つ同じ大きさである。よって、シート６０が台座３０の上面３４に貼り付けられるときに、シート６０の縁と台座３０の上面３４の縁とを合わせることができる。なお、シート６０の形状や大きさは、台座３０の上面３４のうち、立板４０の前面４２より前方の部分と異なっていてもよい。シート６０は、台座３０の上面３４からマグネットシート３８の磁力に抗して剥がすことも可能である。以上より、台座３０は、シート６０を上面３４に着脱自在に保持する。
【００７２】
シート７０は、立板４０の前面４２に貼り付けられる。上述したように、立板４０の前面４２は、マグネットシート４１の前面である（図２参照）。そのため、スチールで構成されているシート７０は、マグネットシート４１の磁力によって、立板４０の前面４２に位置ずれすることなく保持可能である。ここで、シート７０は、立板４０の前面４２のうち、嵌合凸部４７を除いた部分と同じ形状且つ同じ大きさである。よって、シート７０が立板４０の前面４２に貼り付けられるときに、シート７０の縁と立板４０の前面４２の縁とを合わせることができる。なお、シート７０の形状や大きさは、立板４０の前面４２のうち、嵌合凸部４７を除いた部分と異なっていてもよい。シート７０は、立板４０の前面４２からマグネットシート４１の磁力に抗して剥がすことも可能である。以上より、立板４０は、シート７０を前面４２に着脱自在に保持する。
【００７３】
シート６０の表面に描かれた画像６１は、典型的には、被写体が載置されるテーブルや机の上を表すもの（たとえばテーブルクロスの模様）である。シート７０の表面に描かれた画像７１は、典型的には、被写体の背景（たとえば電灯と窓）である。画像７１は、ぼかし加工されている。テーブルフォトブース２０が使用されて被写体の撮影が行われる場合に、画像７１がぼかし加工されていると、以下の効果が奏される。つまり、シート７０に描かれた画像７１（被写体の背景）が遠くにあるように見せかけることができる。
【００７４】
画像６１、７１は、上述したようなものに限らない。また、画像７１がぼかし加工されていなくてもよいし、画像６１がぼかし加工されていてもよい。
【００７５】
また、シート６０、７０は、それぞれ１枚ではなく、複数枚であってもよい。この場合、異なる画像が各シート６０に描かれており、異なる画像が各シート７０に描かれている。そして、複数枚のシート６０のうちの１枚が選択され且つ複数枚のシート７０のうちの１枚が選択され、選択されたシート６０、７０がそれぞれ台座３０の上面３４及び立板４０の前面４２に貼り付けられる。このようにして、台座３０の上面３４及び立板４０の前面４２に表される画像が、様々に選択可能である。
【００７６】
たとえば、上述したようなシート６０、７０の組み合わせ（画像６１（テーブルクロスの模様）が描かれたシート６０と、画像７１（電灯と窓）が描かれたシート７０との組み合わせ）の他、シート６０、７０の双方に星々を背景とした宇宙空間が描かれた組み合わせや、シート６０、７０にアニメーションのセル画を模した風景等が描かれた組み合わせ等が、台座３０の上面３４及び立板４０の前面４２に貼り付けられるシート６０、７０として選択可能である。
【００７７】
選択されたシート６０、７０の組み合わせに応じた被写体が選択されることによって、様々な演出が設定可能である。たとえば、テーブルクロスの模様が描かれたシート６０と、窓と当該窓の外の風景が描かれたシート７０との組み合わせが選択された場合、カップが被写体とされることにより、窓際のテーブルに置かれたカップという演出が設定される。また、たとえば、宇宙空間が描かれたシート６０、７０の組合せが選択された場合、宇宙船のミニチュアが被写体とされることにより、宇宙空間を航行する宇宙船という演出が設定される。また、たとえば、アニメーションのセル画を模した風景等が描かれたシート６０、７０の組み合わせが選択された場合、アニメーションのキャラクターのフィギュアが被写体とされることにより、当該アニメショーンの中の所定シーンが設定される。
【００７８】
一般的に、被写体（たとえば、上述したカップ、ミニチュア、フィギュア）や、被写体の周囲に置かれる飾りパーツ（たとえば、家、木等を模したミニチュア）は、台座３０の上面３４に載置される。しかし、本実施形態では、立板４０がマグネットシート４１を備えているため、被写体や飾りパーツが強磁性体で構成されていたり、被写体や飾りパーツの底面に強磁性体のシートが貼り付けられていたりすることによって、被写体や飾りパーツを立板４０の前面４２に貼り付けることができる。たとえば、図７が示すように、被写体が空飛ぶ鳥である場合、被写体８１としての鳥のミニチュアや、飾りパーツ８２としての雲や月のミニチュア等が、立板４０の前面４２に貼り付け可能である。
【００７９】
［実施形態の効果］
【００８０】
本実施形態によれば、台座３０は、上面３４に様々な種類のシート６０を保持することができ、また、立板４０は、前面４２に様々な種類のシート７０を保持することができる。シート６０が取り替えられることにより、上面３４に描写される画像が簡単に交換され、同様に、シート７０が取り替えられることにより、前面４２に描写される画像が簡単に交換される。
【００８１】
本実施形態では、シート６０、７０がスチールシートで構成されている。そのため、台座３０及び立板４０は、シート６０、７０を簡単に保持することができる。しかも、シート６０、７０の位置調整もきわめて容易である。特に、シート６０、７０が上面３４及び前面４２に貼り付けられる際に気泡が生じることが防止されるので、シート６０、７０の貼付作業が容易且つ迅速に行われる。
【００８２】
また、少なくとも一部が強磁性体で構成された部材、たとえば上述した被写体８１や飾りパーツ８２を前面４２に貼り付けることができる。これにより、シート７０を換えることなく背景に様々な演出を施すことができる。
【００８３】
本実施形態では、上面３４及び前面４２が直交しているため、正面からの撮影に適している。
【００８４】
本実施形態では、台座３０及び立板４０がそれぞれ備える嵌合凹部３９及び嵌合凸部４７が互いに嵌合するだけで台座３０に立板４０が組み付けられ、また、上記嵌合が解除されるだけで台座３０と立板４０が分離される。テーブルフォトブース２０が２つの部材に分離されることにより、テーブルフォトブース２０の持ち運びが容易となる。
【００８５】
本実施形態では、台座３０の上面３４が底面３５から隆起した位置にあるため、台座３０の上面３４が舞台上にあるような演出が可能である。これにより、上面３４に置かれた被写体のクローズアップ画像が容易に得られる。
【００８６】
本実施形態によれば、シート６０が台座３０の上面３４に配置され、シート７０が立板４０の前面４２に配置される。被写体が上面３４に載置され、撮影される。上面３４に配置されたシート６０が交換されるだけで、上面３４に描写された画像が変更される。前面４２に配置されたシート７０が交換されるだけで、前面４２に描写された画像が変更される。
【００８７】
本実施形態では、シート７０に描かれた画像７１がぼかし加工されているため、前面４２に描写された背面が遠くにあるような演出が容易である。
【００８８】
［変形例］
【００８９】
上記実施形態において、台座３０及び立板４０は板紙で構成されていたが、台座３０及び立板４０は板紙以外、例えば木板や金属板や樹脂板等で構成されていてもよい。
【００９０】
上記実施形態において、シート６０は、図６（Ａ）が示す形状に限らず、例えば図１０（Ａ）が示す形状であってもよい。図１０（Ａ）が示すシート６０は、台座３０の上面３４（図３参照）と同じ形状且つ同じ大きさである。図１０（Ａ）が示すシート６０は、貫通孔６２を有する。貫通孔６２は、図１０（Ａ）が示すシート６０が図３が示す台座３０の上面３４に載置されたときに、台座３０の嵌合凹部３９に対応する位置に形成されている。立板４０の嵌合凸部４７（図５参照）が台座３０の嵌合凹部３９に挿入されるとき、嵌合凸部４７は貫通孔６２を貫通する。これにより、図１０（Ａ）が示すシート６０は、嵌合凸部４７に貫通され、且つ、台座３０及び立板４０に挟まれた状態となり、位置決めされる。その結果、図１０（Ａ）が示すシート６０の位置ずれが防止される。
【００９１】
上記実施形態において、台座３０が嵌合凹部３９を有し、立板４０が嵌合凸部４７を有していた。しかし、上記実施形態とは逆に、台座３０が嵌合凸部４７を有し、立板４０が嵌合凹部３９を有していてもよい。
【００９２】
嵌合凹部３９は、図３が示すような凹みや貫通孔に限らず、例えば図１１が示すような切り欠きであってもよい。この場合、シート７０は、図１０（Ｂ）が示す形状であってもよい。図１０（Ｂ）が示すシート７０は、図５が示す立板４０の前面４２と同じ形状且つ同じ大きさであり、２つの凸部７２を有している。立板４０の嵌合凸部４７が台座３０の嵌合凹部３９に挿入されるとき、凸部７２は嵌合凸部４７と共に嵌合凹部３９に挿入される。これにより、図１０（Ｂ）が示すシート７０は、嵌合凹部３９に挿入され、且つ、台座３０及び立板４０に挟まれた状態となり、位置決めされる。その結果、図１０（Ｂ）が示すシート７０の位置ずれが防止される。
【００９３】
上記実施形態において、台座３０と立板４０は、嵌合によって組み合わされてテーブルフォトブース２０を構成していた。しかし、台座３０と立板４０は、嵌合以外、たとえばネジやボルトナットによる螺合などによって組み合わされてテーブルフォトブース２０を構成していてもよい。
【００９４】
台座３０と立板４０は、一体に構成されていてもよい。
【００９５】
上記実施形態において、台座３０と立板４０は嵌合によって組み合わされていた。そのため、台座３０の上面３４と立板４０の前面４２とのなす角は所定角度（上記実施形態では９０度）に固定されていた。しかし、テーブルフォトブース２０は、当該なす角が可変となるように構成されていてもよい。
【００９６】
たとえば、図８が示すように、台座３０及び立板４０が、連結機構９０を介して連結されていてもよい。連結機構９０は、一対の凸部９１、凸部９２、及び軸部９３を備えている。各凸部９１は、台座３０の後端の左右方向１０３の両端からそれぞれ後方へ突出している。これにより、各凸部９１の間に凹部が形成されている。他方、凸部９２は、立板４０の下端の左右方向１０３の中央部から下方へ突出している。凸部９２は、上記凹部すなわち一対の凸部９１の間に嵌め込まれている。軸部９３は、凸部９２の右面及び左面から左右方向１０３へ突出している。各凸部９１は、凸部９２と左右方向１０３に対向した面にそれぞれ孔（不図示）を備えている。軸部９３は、この孔に挿入されている。このように構成されることにより、立板４０は、台座３０に対して矢印９６の方向に回動可能である。なお、立板４０は、摩擦やストッパなどによって所定の回動位置に維持可能である。
【００９７】
なお、立板４０を台座３０に対して回動可能に連結する構成は、上述した凸部９１、凸部９２、及び軸部９３を備えた構成に限らず、公知の種々の構成が採用可能である。たとえば、台座３０及び立板４０がヒンジを介して連結されていてもよい。この場合、ヒンジが特許請求の範囲に記載された「連結機構」の一例である。
【００９８】
図８が示す構成では、連結機構９０により、上面３４及び前面４２のなす角が変更可能である。これにより、撮影時の光量調整が可能である。
【００９９】
上記実施形態において、台座３０及び立板４０がマグネットシートを備えており、シート６０、７０がスチールシートを備えていた。しかし、上記実施形態とは逆に、台座３０及び立板４０がスチールシートを備えており、シート６０、７０がマグネットシートを備えていてもよい。
【０１００】
また、台座３０または立板４０の一方がマグネットシートを備え且つ他方がスチールシートを備えていてもよい。この場合、台座３０がマグネットシートを備えている場合にシート６０はスチールシートを備え、台座３０がスチールシートを備えている場合にシート６０はマグネットシートを備える。また、立板４０がマグネットシートを備えている場合にシート７０はスチールシートを備え、立板４０がスチールシートを備えている場合にシート７０はマグネットシートを備える。
【０１０１】
シート６０、７０がマグネットシートを備えている場合、シート６０は、図９が示すような積層構造であることが好ましい。シート７０の積層構造は図示されていないが、シート６０と同構造である。図９が示すように、シート６０は、マグネットシート３８の表面に、塩化ビニル等で構成されたシート９４が積層されている。画像が、シート９４の表面（マグネットシート３８に接する面の裏面）に印刷等によって描かれる。シート９５が、画像が描かれたシート９４の表面に積層される。シート９５は、透明なプラスチックフィルム等で構成されている。なお、シート９４、９５は、ラミネート加工等の公知の手段によって積層される。
【０１０２】
上記実施形態において、画像６１、７１は、インクジェットプリンタによってシート６０、７０のスチールシートの表面に印刷されていた。このスチールシートの表面に、シート９５（図９参照）と同様の透明なプラスチックフィルム等がラミネート加工等の公知の手段によって積層されていてもよい。
【０１０３】
上記実施形態において、シート６０、７０はマグネットシートまたはスチールシートを備えていた。これにより、シート６０が台座３０の上面３４に貼り付けられ、シート７０が立板４０の前面４２に貼り付けられていた。しかし、シート６０、７０はマグネットシート及びスチールシートを備えていなくてもよい。例えば、シート６０、７０は、紙や木や樹脂等によって構成されており、マグネットシート及びスチールシートを備えていなくてもよい。
【０１０４】
この場合、シート７０は、例えば、図１２及び図１３が示すように、スチールシート５１とマグネット５３とに挟まれることによって立板４０の前面５２に着脱自在に保持されてもよい。
【０１０５】
図１２（Ａ）が示す立板４０において、スチールシート５１は、立板４０を構成する板紙の前面５２の四隅に貼り付けられている。この点、図１２（Ａ）が示す立板４０は、立板４０を構成する板紙の前面の全面にマグネットシート４１が貼り付けられていた上記実施形態（図５参照）と異なる。
【０１０６】
図１３が示すように、シート７０が立板４０の前面５２に当接され、マグネット５３がシート７０の表面の四隅に配置される。マグネット５３は、スチールシート５１に磁着される。シート７０は、マグネット５３の磁力によって、スチールシート５１とマグネット５３との間に挟まれた状態に保持される。マグネット５３が取り外されることによって、シート７０が立板４０から取り外し可能となる。つまり、立板４０は、シート７０を前面５２に着脱自在に保持する。
【０１０７】
スチールシート５１が貼り付けられる位置は、前面５２の左右両端部の上端部に貼付されていることを条件として、前面５２の四隅に限らない。例えば、図１２（Ｂ）が示すように、スチールシート５１は、前面５２の上端部の左右両端部と、前面５２の下端部の左右方向１０３の全領域（左端から右端に亘る領域）とに貼り付けられていてもよい。また、例えば、スチールシート５１は、立板４０を構成する板紙の前面の全面に貼り付けられていてもよい。
【０１０８】
シート７０が立板４０の前面５２に当接された状態で、シート７０を挟んでスチールシート５１にマグネット５３が磁着されることによって、シート７０を立板４０の前面５２に保持することができる。
【０１０９】
シート６０は、例えば、シート７０と同様にして、スチールシートとマグネットとに挟まれることによって台座３０の上面３４（図３参照）に着脱自在に保持されてもよいし、単に台座３０に載置されるだけでもよい。
【０１１０】
上記実施形態において、スチールシートを備えるシート６０、７０が、磁力によってマグネットシートを備える台座３０の上面３４及び立板４０の前面４２に貼り付けられていた。しかし、シート６０、７０が台座３０の上面３４及び立板４０の前面４２に貼り付けられる手段は、磁力によるものに限らない。この場合、上述した構成と同様に、シート６０、７０は、紙や木や樹脂等によって構成されており、マグネットシート及びスチールシートを備えていなくてもよい。また、台座３０及び立板４０は、マグネットシートやスチールシートを備えていなくてもよい。
【０１１１】
磁力以外の手段によってシート６０、７０が台座３０の上面３４及び立板４０の前面４２に貼り付けられる手段は、例えば、以下のような手段がある。
【０１１２】
シート６０における台座３０の上面３４に貼り付けられる面や、シート７０における立板４０の前面４２に貼り付けられる面に、公知の粘着剤が塗布されていてもよい。
【０１１３】
また、シート７０は、図１４が示すように、縁部の所定箇所がクリップ等の保持部材５４で留められることによって、立板４０の前面４２に着脱自在に保持されてもよい。ここで、縁部の所定箇所は、図１２では四隅であるが四隅に限らない。なお、シート６０は、例えば、シート７０と同様にして、保持部材５４よって台座３０の上面３４（図３参照）に着脱自在に保持されてもよいし、単に台座３０に載置されるだけでもよい。
【０１１４】
また、図１５が示すように、台座３０は、横溝５５を備えていてもよい。なお、図１５が示す構成において、台座３０はマグネットシート３８を備えておらず、台座３０の上面３４は板紙３２（図４参照）の上面である。横溝５５は、台座３０の上面３４の左端から右端に亘って左右方向１０３に延びている。横溝５５は、嵌合凹部３９の前端と連続している。横溝５５の後端の位置（横溝５５の後側面の前後方向１０２の位置）と、嵌合凹部３９の前端の位置（嵌合凹部３９の前側面の前後方向１０２の位置）とは、前後方向１０２において同位置である。
【０１１５】
図１６が示すように、シート７０は、その下端部７３が横溝５５に挿入された状態で、立板４０の前面４２に当接している。このとき、シート７０の縁部の上端部等が保持部材５４（図１４参照）等によって留められていてもよい。横溝５５の幅（前後方向１０２の長さ）は、シート７０の厚みと同一であることが好ましい。これにより、シート７０の下端部７３が横溝５５に挿入された状態において、シート７０の姿勢を安定させることができる。
【０１１６】
なお、横溝５５の長さや位置は、図１５が示す長さや位置に限らない。例えば、横溝５５は、台座３０の上面３４の左端から右端に亘っていなくてもよい。また、例えば、横溝５５は、嵌合凹部３９の前端と連続していなくてもよい。
【０１１７】
シート７０の下端部７３が横溝５５に挿入されることによって、シート７０の下端部７３を、台座３０の上面３４に保持されたシート６０の後端と連続させることができる。シート７０の下端部７３が横溝５５に挿入されることによって、台座３０がシート７０を支持することができる。
【０１１８】
また、図１７が示すように、立板４０は、縦溝５６を備えていてもよい。なお、図１７が示す構成において、立板４０はマグネットシート４１を備えておらず、立板４０の前面４２は板紙の前面である。立板４０は、その左端部及び右端部に一対の凸部５７を備えている。各凸部５７は、立板４０の上端から下端に亘って延びている。凸部５７の左右方向１０３における内側の面５８（右側の凸部５７の左面、及び左側の凸部５７の右面）に、縦溝５６が形成されている。縦溝５６は、凸部５７の上端から下端に亘って形成されている。縦溝５６の幅（縦溝５６前後方向１０２の長さ）は、シート７０と略同一である。シート７０は、図１７において二点鎖線で示されるように、その右端部及び左端部が縦溝５６に挿入されつつ、立板４０の上端から下方へスライドされることによって、立板４０に装着される。なお、一対の凸部５７は、立板４０の上端から下端に亘って延びていなくてもよく、例えば立板４０の上部にのみ設けられていてもよい。
【０１１９】
シート７０の左右両端部が縦溝５６へ挿入されることによって、シート７０を立板４０の前面４２に保持することができる。
【０１２０】
以上説明した実施形態及び変形例は、組み合わせ可能である。例えば、台座３０が横溝５５（図１５参照）を備えると共に、立板４０が縦溝５６（図１７参照）を備えていてもよい。
【符号の説明】
【０１２１】
１０・・・テーブルフォトブースセット
２０・・・テーブルフォトブース
２９・・・角部
３０・・・台座
３１・・・側面
３２・・・板紙
３３・・・板紙
３４・・・上面
３５・・・底面
３６・・・シート
３７・・・シート
３８・・・マグネットシート
３９・・・嵌合凹部
４０・・・立板
４１・・・マグネットシート
４２・・・前面
４３・・・上面
４４・・・側面
４５・・・角部
４６・・・下面
４７・・・嵌合凸部
５１・・・スチールシート
５２・・・前面
５３・・・マグネット
５４・・・保持部材
５５・・・横溝
５６・・・縦溝
５７・・・凸部
５８・・・面
６０・・・シート
６１・・・画像
６２・・・貫通孔
７０・・・シート
７１・・・画像
７２・・・凸部
７３・・・下端部
８１・・・被写体
８２・・・飾りパーツ
９０・・・連結機構
９１・・・凸部
９２・・・凸部
９３・・・軸部
９４・・・シート
９５・・・シート
９６・・・矢印
１０１・・・上下方向
１０２・・・前後方向
１０３・・・左右方向
【図１】
0006873442.tif 000002
【図２】
0006873442.tif 000003
【図３】
0006873442.tif 000004
【図４】
0006873442.tif 000005
【図５】
0006873442.tif 000006
【図６】
0006873442.tif 000007
【図７】
0006873442.tif 000008
【図８】
0006873442.tif 000009
【図９】
0006873442.tif 000010
【図１０】
0006873442.tif 000011
【図１１】
0006873442.tif 000012
【図１２】
0006873442.tif 000013
【図１３】
0006873442.tif 000014
【図１４】
0006873442.tif 000015
【図１５】
0006873442.tif 000016
【図１６】
0006873442.tif 000017
【図１７】
0006873442.tif 000018